(57)【要約】【課題】浴槽の底部に設けた浴槽排水孔の位置が、浴槽が載置される床パンに設けた床パン排水孔の位置から大きくずれることがあっても、浴槽排水孔と床パン排水孔との連通状態を維持することができる浴槽の排水構造を提供すること。【解決手段】浴槽１の底部１ａに設けた浴槽排水孔１ｂに、筒状の接続部材２の上端の上端接続部２ａを連通させて取付け、浴槽１が載置される床パン３に設けた床パン排水孔３ｂに、接続部材２の下端の下端接続部２ｂを連通させて取付け、接続部材２の上端接続部２ａと下端接続部２ｂとの間に、可撓性の伸縮部２ｃを連通させて設けたことを特徴とする。【選択図】図１
2011231471.tif 000002
【特許請求の範囲】
【請求項１】
浴槽の底部に設けた浴槽排水孔に、筒状の接続部材の上端の上端接続部を連通させて取付け、前記浴槽が載置される床パンに設けた床パン排水孔に、前記接続部材の下端の下端接続部を連通させて取付け、前記接続部材の前記上端接続部と前記下端接続部との間に、可撓性の伸縮部を連通させて設けたことを特徴とする浴槽の排水構造。
【発明の詳細な説明】
【技術分野】
【０００１】
本発明は、浴槽の排水構造に関するものである。
【背景技術】
【０００２】
従来から、図３に示すように、浴槽１の底部１ａに設けた浴槽排水孔１ｂと、浴槽１が載置される床パン３に設けた床パン排水孔３ｂとを、筒状の接続部材２´を介して連通させる浴槽の排水構造が提案されている（特許文献１参照）。
【０００３】
接続部材２´は鉛直方向に撓む可撓性を有しており、この接続部材２´を用いて浴槽排水孔１ｂと床パン排水孔３ｂとを接続する際には、まず、床パン排水孔３ｂに接続部材２´の下端の下端接続部２ｂ´を一定の範囲内で水平方向に移動自在となるように取り付ける。そして、接続部材２´の上端に浴槽排水孔１ｂの外周部の筒体を載せて、接続部材２´を鉛直方向に収縮させて、浴槽排水孔１ｂと接続した状態とする。
【０００４】
この浴槽１の排水構造は、浴槽排水孔１ｂの位置が床パン排水孔３ｂの位置に対して水平方向にずれても、一定の範囲内であれば、そのずれに併せて接続部材２´が水平方向に移動して、浴槽排水孔１ｂと床パン排水孔３ｂとの連通状態を維持するものである。
【先行技術文献】
【特許文献】
【０００５】
【特許文献１】特開２００７−１５４５４５号公報
【発明の概要】
【発明が解決しようとする課題】
【０００６】
しかし、上記構成の浴槽１の排水構造であっては、浴槽排水孔１ｂの位置が床パン排水孔３ｂの位置に対して水平方向に上記一定の範囲外にずれた場合、接続部材２´はその位置まで水平方向に移動することができず、接続部材２´の上端の浴槽排水孔１ｂとの接続箇所の一部に力が集中して、浴槽排水孔１ｂから接続部材２´が外れてしまう恐れがあるという問題があった。
【０００７】
本発明は前記事情に鑑みて発明したものであって、浴槽の底部に設けた浴槽排水孔の位置が、浴槽が載置される床パンに設けた床パン排水孔の位置から大きくずれることがあっても、浴槽排水孔と床パン排水孔との連通状態を維持することができる浴槽の排水構造を提供することを課題とする。
【課題を解決するための手段】
【０００８】
前記課題を解決するために本発明の浴槽の排水構造は、浴槽の底部に設けた浴槽排水孔に、筒状の接続部材の上端の上端接続部を連通させて取付け、前記浴槽が載置される床パンに設けた床パン排水孔に、前記接続部材の下端の下端接続部を連通させて取付け、前記接続部材の前記上端接続部と前記下端接続部との間に、可撓性の伸縮部を連通させて設けたことを特徴とする。
【発明の効果】
【０００９】
本発明の浴槽の排水構造は、浴槽の底部に設けた浴槽排水孔の位置が、浴槽が載置される床パンに設けた床パン排水孔の位置から大きくずれることがあっても、浴槽排水孔と床パン排水孔との連通状態を維持することができる。
【図面の簡単な説明】
【００１０】
【図１】本発明の実施形態の浴槽の排水構造を示す断面図である。
【図２】同上の浴槽の排水構造の接続部材を示す一部破断断面図である。
【図３】従来の浴槽の排水構造を示す断面図である。
【発明を実施するための形態】
【００１１】
以下、本発明を添付図面に示す実施形態に基づいて説明する。
【００１２】
本実施形態の浴槽の排水構造は、浴槽が設置される浴室ユニットに設けられるものである。
【００１３】
図１に示すように、浴槽１は、浴室ユニットの床パン３の上面に載置され、浴槽１の底部１ａには、浴槽１内の湯や水を排出するための浴槽排水孔１ｂが上下に貫通して設けられている。なお、図示していないが、浴槽１内に湯を溜める際には、浴槽排水孔１ｂは、ゴム製等の排水孔蓋や、プッシュアップ型の排水孔蓋で開口が閉じられる。
【００１４】
また、浴槽１が載置される床パン３には、浴槽１の浴槽排水孔１ｂの下方の部位に、床パン排水孔３ｂが上下に貫通して設けられている。床パン排水孔３ｂの下方には、浴室ユニットの外部の排水管に連通する排水空間Ｓが形成されている。なお、排水空間Ｓは、浴室ユニットの洗い場に設けられた洗い場排水孔（図示せず）に連通していて、洗い場排水孔を介して、外部の排水管に連通するようなものであっても構わない。
【００１５】
本実施形態の浴槽１の排水構造は、浴槽排水孔１ｂと、床パン排水孔３ｂと、浴槽排水孔１ｂと床パン排水孔３ｂとを接続する接続部材２と、から構成される。
【００１６】
浴槽排水孔１ｂの外周部は、浴槽１の底部１ａに平面視円状に開口し底部１ａから下向きに突出する筒状の開口部１ｂ１と、その開口部１ｂ１の下端部の外周面に嵌合する筒状の連結部１ｂ２と、から構成される。開口部１ｂ１の下端面と連結部１ｂ２の下端面とは略面一となっている。連結部１ｂ２の外周面の上端部からは、フランジ状の上端フランジ片１ｂ２１が突出形成されている。また、連結部１ｂ２の外周面の下端部からは、フランジ状の下端フランジ片１ｂ２２が突出形成されている。下端フランジ片１ｂ２２の下面と連結部１ｂ２の下端面とは略面一となっている。上端フランジ片１ｂ２１と下端フランジ片１ｂ２２とは、外径が略同じとなる突出長さに形成されていて、互いに略平行となるように設けられている。下端フランジ片１ｂ２２の突出先端部の下面からは、下方に向かって突出するズレ防止片１ｂ２２１が全周に亘ってリング状に形成されている。なお、開口部１ｂ１と連結部１ｂ２とは別体ではなく、一体のものであっても構わない。
【００１７】
床パン排水孔３ｂは、板状の床パン３の上面から下面に向けて平面視円状に貫通させて設けたものである。床パン排水孔３ｂの開口縁３ｂ１の上面を開口縁上面３ｂ１１とし、下面を開口縁下面３ｂ１２とし、内周面を開口縁内周面３ｂ１３とする。
【００１８】
接続部材２は、可撓性の筒状のものであって、図２に示すように、上端の上端接続部２ａと、下端の下端接続部２ｂと、上端接続部２ａと下端接続部２ｂとを連通させて接続する中央の伸縮部２ｃと、から構成される。以下においては、接続部材２が浴槽排水孔１ｂと床パン排水孔３ｂとに接続された状態を基準とし、各部の説明を行う。
【００１９】
上端接続部２ａは、可撓性を有する筒状のものであって、後述する当接部２ａ１と壁部２ａ２と上端部２ａ３とから構成される。当接部２ａ１は、接続部材２の上端周縁部から、外側（接続部材２の軸に向かう方向と反対側）に向かって水平方向に延びて全周に亘ってフランジ状に形成される。その当接部２ａ１の先端部から、上方に向かって延びる壁部２ａ２が全周に亘って形成される。その壁部２ａ２の上端部から、内側（接続部材２の軸に向かう方向）に向かって水平方向に延びる上端部２ａ３が全周に亘って形成される。当接部２ａ１の先端の壁部２ａ２より内側の部位には、浴槽排水孔１ｂのズレ防止片１ｂ２２１が嵌合するズレ防止凹部２ａ１１が全周に亘ってリング状に凹設されている。当接部２ａ１は、浴槽排水孔１ｂの下端フランジ片１ｂ２２の下面全体と、開口部１ｂ１の下端面全体と、連結部１ｂ２の下端面全体と、に当接する幅（外径と内径の差）のリング状に形成されている。上端部２ａ３は、当接部２ａ１の幅（外径と内径の差）よりも狭く、浴槽排水孔１ｂの下端フランジ片１ｂ２２の突出長さよりも若干短い幅（外径と内径の差）のリング状に形成されている。また、壁部２ａ２は、当接部２ａ１の上面と上端部２ａ３の下面との間の上下方向の長さが下端フランジ片１ｂ２２の上下方向の長さと略同じとなるように形成されていて、内径が浴槽排水孔１ｂの下端フランジ片１ｂ２２の外径と略同じとなるように形成されている。
【００２０】
下端接続部２ｂは、可撓性を有する筒状のものであって、後述する当接部２ｂ１と壁部２ｂ３と下端部２ｂ２とガイド部２ｂ４とから構成される。当接部２ｂ１とその下方に位置する下端部２ｂ２とは、接続部材２の下端周縁部から、外側（接続部材２の軸に向かう方向と反対側）に向かって水平方向に延びて全周に亘ったフランジ状にそれぞれ突出形成される。当接部２ｂ１と下端部２ｂ２とは、板状の床パン３の上下方向の厚み分だけ上下に離間して形成されている。ここで、当接部２ｂ１と下端部２ｂ２との間の部分を、壁部２ｂ３とする。当接部２ｂ１と下端部２ｂ２とは内径が同じで、当接部２ｂ１が下端部２ｂ２よりも外径が長く形成されている。下端部２ｂ２は外径が、床パン排水孔３ｂの内径よりも若干長く形成されている。また、当接部２ｂ１は外径が、床パン排水孔３ｂの内径と比べて十分に長く形成されている。壁部２ｂ３は外径が、床パン排水孔３ｂの内径よりも短く形成されている。また、下端部２ｂ２からは、壁部２ｂ３と内径と外径が同じガイド部２ｂ４が下方に突出して形成されている。
【００２１】
伸縮部２ｃは、可撓性を有する筒状のものであって、上端接続部２ａの当接部２ａ１や下端接続部２ｂと内径が同じで、下端接続部２ｂの壁部２ｂ３やガイド部２ｂ４と外径が同じとなるように形成されている。伸縮部２ｃは上下方向の長さが、浴槽１が床パン３に載置されて接続部材２が浴槽排水孔１ｂと床パン排水孔３ｂとに接続された状態における上端接続部２ａの当接部２ａ１の下面と下端接続部２ｂの当接部２ｂ１の上面との間の距離と比べて十分に長く形成されている。すなわち、伸縮部２ｃは、上下に伸縮自在に形成されている。ここでいう上下とは、鉛直方向に限定されず、斜め方向に伸縮する場合も含む。なお、伸縮部２ｃは、蛇腹状に形成されていても構わないし、上下に伸縮自在であれば、他の形状であっても構わない。なお、上述の十分に長い長さとは、筒状の伸縮部２ｃが、筒状の上端接続部２ａと下端接続部２ｂとの連通状態を維持できる程度の長さとする。
【００２２】
以上のようにして形成される接続部材２を、浴槽排水孔１ｂと床パン排水孔３ｂとに接続する際の接続方法について説明する。
【００２３】
最初に、浴槽１を床パン３に載置する前に、浴槽１の底部１ａの裏側から、接続部材２の上端接続部２ａを浴槽排水孔１ｂに嵌合させる。ここで、浴槽排水孔１ｂに接続部材２を嵌合させる際には、まず、上端接続部２ａの上端部２ａ３の内側の先端部を、当接部２ａ１から離れる方向に撓ませて、下端フランジ片１ｂ２２の下面に当接部２ａ１の上面が接するように上端接続部２ａを浴槽排水孔１ｂに差し込む。そして、上端部２ａ３を撓んだ状態から元に戻して、上端部２ａ３の下面を下端フランジ片１ｂ２２の上面に当接させる。すると、下端フランジ片１ｂ２２が上端部２ａ３と当接部２ａ１とで狭持されて、浴槽排水孔１ｂに上端接続部２ａが嵌合された状態となる。なお、当接部２ａ１の上面には、開口部１ｂ１の下端面と下端フランジ片１ｂ２２の下面と連結部１ｂ２の下端面とが当接する。この嵌合状態において、下端フランジ片１ｂ２２の外周面には壁部２ａ２の内面（接続部材２の軸に向かう方向の面）が当接し、当接部２ａ１のズレ防止凹部２ａ１１には、下端フランジ片１ｂ２２のズレ防止片１ｂ２２１が嵌合する。よって、浴槽排水孔１ｂには接続部材２の上端接続部２ａが外れ難い状態で嵌合される。
【００２４】
次に、浴槽１を床パン３に載置し、浴槽排水孔１ｂから接続部材２を伸ばして、床パン３の床パン排水孔３ｂに接続部材２の下端接続部２ｂを嵌合させる。ここで、床パン排水孔３ｂに接続部材２を嵌合させる際には、まず、床パン排水孔３ｂに、下端接続部２ｂのガイド部２ｂ４を差し込む。そして、床パン排水孔３ｂの開口縁３ｂ１の開口縁上面３ｂ１１に、下端接続部２ｂの下端部２ｂ２の下面を当接させ、床パン排水孔３ｂに下端接続部２ｂを押し込む。すると、下端部２ｂ２の外側の先端部が当接部２ｂ１に近づくように撓んで、最終的に下端接続部２ｂの下端部２ｂ２が床パン排水孔３ｂの開口縁３ｂ１を乗り越える。この乗り越えた状態で、開口縁３ｂ１の開口縁下面３ｂ１２に下端部２ｂ２の上面が当接し、開口縁３ｂ１の開口縁上面３ｂ１１に当接部２ｂ１の下面が当接し、開口縁３ｂ１が当接部２ｂ１と下端部２ｂ２とで狭持される。よって、床パン排水孔３ｂには下端接続部２ｂが外れ難い状態で嵌合される。
【００２５】
以上のようにして、浴槽排水孔１ｂと床パン排水孔３ｂとは接続部材２で接続される。ここで、接続部材２の伸縮部２ｃは、上述したように、鉛直方向だけではなく斜め方向も含む上下に伸縮自在である。よって、接続時、浴槽排水孔１ｂと上端接続部２ａや床パン排水孔３ｂと下端接続部２ｂの嵌合部分の一部に、力が集中する前に、伸縮部２ｃがずれに追従して鉛直方向だけではなく斜め方向も含む上下に伸縮して、上述の２つの嵌合部分への力の集中を低減できる。すなわち、接続部材２が浴槽排水孔１ｂや床パン排水孔３ｂから外れることを抑制でき、浴槽１の排水構造の漏水防止性能を大きく向上させることができる。
【００２６】
このようにして、本実施形態の浴槽１の排水構造は、浴槽排水孔１ｂの位置が床パン排水孔３ｂの位置に対して水平方向に大きくずれていても、浴槽排水孔１ｂと床パン排水孔３ｂとを接続部材２で外れ難い状態で連通させることができる。また、浴槽排水孔１ｂと床パン排水孔３ｂとを接続部材２で接続した後、浴槽１を使用していて浴槽１の位置がずれるようなことがあっても、接続部材２の伸縮部２ｃが追従して伸びて、浴槽排水孔１ｂと床パン排水孔３ｂとは連通状態を維持することができる。
【００２７】
つまり本実施形態の浴槽１の排水構造は、接続部材２が浴槽排水孔１ｂや床パン排水孔３ｂから外れてしまって、浴槽１から排水された湯水が床パン３の上面に漏れ出すことを抑制することができる。
【００２８】
なお、本実施形態においては、床パン排水孔３ｂの開口縁３ｂ１を当接部２ｂ１と下端部２ｂ２とで狭持した状態において、開口縁３ｂ１の開口縁内周面３ｂ１３と壁部２ｂ３との間には、隙間が形成される。よって、下端接続部２ｂは、床パン排水孔３ｂに一定の範囲内で水平方向に移動自在に取り付けられた状態となる。なお、下端接続部２ｂを床パン排水孔３ｂ内で水平方向に移動させても、下端部２ｂ２が開口縁３ｂ１の開口縁下面３ｂ１２から外れることはない。
【００２９】
以上、本発明の実施形態について説明した。本発明の実施形態の奏する効果について、改めて詳述する。
【００３０】
本発明の実施形態の浴槽１の排水構造は、浴槽１の底部１ａに設けた浴槽排水孔１ｂに、筒状の接続部材２の上端の上端接続部２ａを連通させて取付けている。また、浴槽１が載置される床パン３に設けた床パン排水孔３ｂに、接続部材２の下端の下端接続部２ｂを連通させて取付けている。そして、接続部材２の上端接続部２ａと下端接続部２ｂとの間に、可撓性の伸縮部２ｃを連通させて設けている。
【００３１】
本発明の実施形態の浴槽１の排水構造は、従来例のように接続部材２に浴槽排水孔１ｂの外周部をただ載せて接続するのではなく、浴槽排水孔１ｂには接続部材２が取り付けてあって、床パン排水孔３ｂには接続部材２が取付けてある。また、接続部材２には、可撓性の伸縮部２ｃを設けてある。よって、浴槽排水孔１ｂの位置が、床パン排水孔３ｂの位置から大きくずれることがあっても、そのずれに追従して接続部材２の伸縮部２ｃが伸びるので、浴槽排水孔１ｂと接続部材２の上端接続部２ａとを取り付けた箇所が外れることを極力抑制できる。併せて、床パン排水孔３ｂと接続部材２の下端接続部２ｂとを取り付けた箇所が外れることも極力抑制できる。すなわち、本実施形態の浴槽１の排水構造は、浴槽排水孔１ｂの位置が、床パン排水孔３ｂの位置から大きくずれることがあっても、浴槽排水孔１ｂと床パン排水孔３ｂとの連通状態を維持することができる。
【００３２】
なお、本実施形態においては、床パン排水孔３ｂと接続部材２の下端接続部２ｂとを接続した後、浴槽排水孔１ｂから排水空間Ｓに指を差し込めば、下端部２ｂ２が、床パン排水孔３ｂの開口縁下面３ｂ１２に沿った状態となっているか指先で確認できる。すなわち、浴槽１内から、床パン排水孔３ｂに接続部材２の下端接続部２ｂが嵌合した状態となっているかどうか確認することができる。
（変更例）
なお、接続部材２の伸縮部２ｃは、薄くしたり（外径と内径の差を狭くする）、材料を変える等して、他の部分（上端接続部２ａや下端接続部２ｂ）よりも撓み易くなるような可撓性を持たせてもよい。このようにすれば、浴槽排水孔１ｂの位置が、床パン排水孔３ｂの位置からずれた場合、真っ先に撓み易い伸縮部２ｃがそのずれに追従して伸縮することになる。よって、浴槽排水孔１ｂと上端接続部２ａとの嵌合部分の一部や、床パン排水孔３ｂと下端接続部２ｂとの嵌合部分の一部に、力が集中してしまうことをさらに低減することができる。
【００３３】
また、接続部材２を浴槽１の底部１ａの裏側から浴槽排水孔１ｂに嵌合させたが、浴槽１内から差し込んで、浴槽排水孔１ｂに内側から嵌合させて取り付けるようなものであっても構わない。このようにすれば、床パン３に浴槽１を配置してから、浴槽排水孔１ｂと床パン排水孔３ｂとを接続部材２で接続することができる。
【００３４】
また、接続部材２の下端接続部２ｂは、床パン排水孔３ｂの開口縁３ｂ１との間に隙間を形成して、水平方向の一定範囲に移動自在となるように嵌合させたが、移動自在でなくてもよい。すなわち、床パン排水孔３ｂの内径と、下端接続部２ｂの壁部２ｂ３の外径を略同じとなるように形成しても構わない。このようにすれば、床パン排水孔３ｂへの下端接続部２ｂの接続がより強固なものとなる。この場合、床パン排水孔３ｂに下端接続部２ｂを接続する際には、下端接続部２ｂの下端部２ｂ２の先端が下方を向くように撓ませて、床パン排水孔３ｂに下端接続部２ｂを差し込むようにすればよい。
【００３５】
以上、本発明を添付図面に示す実施形態に基づいて説明したが、本発明は上述の各実施形態に限定されるものではなく、本発明の意図する範囲内であれば、適宜の設計変更が可能である。
【符号の説明】
【００３６】
１      浴槽
１ａ    底部
１ｂ    浴槽排水孔
２      接続部材
２ａ    上端接続部
２ｂ    下端接続部
２ｃ    伸縮部
３      床パン
３ｂ    床パン排水孔
【図１】
2011231471.tif 000003
【図２】
2011231471.tif 000004
【図３】
2011231471.tif 000005